(57)【特許請求の範囲】
【請求項１】
寝床上の被測定者の身体の動きを検出する体動検出手段と、
前記体動検出手段の検出結果に基づいて、単位期間ごとにおける被測定者の睡眠状態を判別する第１の判別手段と、
複数の前記単位期間によって構成される一定期間ごとに、前記第１の判別手段による前記単位期間ごとの判別結果を用いて、睡眠の深さのレベルを判別する第２の判別手段と、
前記睡眠の深さのレベルは、睡眠状態を表わすレベルと覚醒状態を表わすレベルとを含み、
前記第２の判別手段による判別結果を表示装置に表示させる表示手段とを備え、
前記表示手段は、前記単位期間および前記一定期間よりも長い特定の期間において、前記第２の判別手段による判別結果において前記覚醒状態を表わすレベルが生じたことについての情報を前記表示装置にさらに表示させる、睡眠評価装置。
【請求項２】
前記特定の期間は、前記第２の判別手段による判別結果が初めて前記睡眠状態を表わすレベルを示してから、前記体動検出手段の検出結果に基づいて前記被測定者の起床状態が検出されるまでの期間である、請求項１に記載の睡眠評価装置。
【請求項３】
前記特定の期間の終了を指定する情報の入力を受け付ける入力手段をさらに備え、
前記特定の期間は、前記第２の判別手段による判別結果が初めて前記睡眠状態を表わすレベルを示してから、前記入力手段が前記情報の入力を受け付けるまでの期間である、請求項１に記載の睡眠評価装置。
【請求項４】
前記覚醒状態を表わすレベルが生じたことについての情報は、前記特定の期間において前記覚醒状態を表わすレベルが生じた累積時間または回数を含む、請求項１〜請求項３のいずれか１項に記載の睡眠評価装置。
【請求項５】
前記表示手段は、
前記表示装置において円状に時計を表わすように配列された複数の表示部を表示させ、
前記配列された複数の表示部は、前記第２の判別手段による判別が行われた前記特定の期間に対応する位置および数の表示部を含み、
前記表示手段は、
前記特定の期間に対応する位置および数の表示部を点灯表示させる、請求項１〜請求項４のいずれか１項に記載の睡眠評価装置。
【請求項６】
前記表示手段は、
前記表示装置において円状に時計を表わすように配列された複数の表示部を表示させ、
前記配列された複数の表示部は、前記第２の判別手段による判別が行われた前記特定の期間に対応する位置および数の表示部を含み、
前記特定の期間に対応する位置および数の表示部は、前記覚醒状態を表わすレベルを表示する表示部と、前記睡眠状態を表わすレベルを表示する表示部とからなり、
前記表示手段は、前記覚醒状態を表わすレベルを表示する表示部と前記睡眠状態を表わすレベルを表示する表示部との、いずれか一方を点灯表示させ、他方を点滅表示させる、請求項１〜請求項４のいずれか１項に記載の睡眠評価装置。
【請求項７】
前記表示手段は、前記特定の期間における、前記睡眠状態を表わすレベルが生じた累積時間または前記覚醒状態を表わすレベルが生じた累積時間を、前記表示装置にさらに表示させる、請求項１〜請求項６のいずれか１項に記載の睡眠評価装置。
【請求項８】
被測定者のいびきの発生を検出する検出手段をさらに備え、
前記表示手段は、前記表示装置において、さらに、前記検出手段が被測定者のいびきを検出した場合には、いびきの発生が検出されたことを示す情報を表示させる、請求項１〜請求項７のいずれか１項に記載の睡眠評価装置。
【請求項９】
寝床上の被測定者の身体の動きを検出する体動検出手段を備えた睡眠評価装置において実行される睡眠評価方法であって、
前記体動検出手段の検出結果に基づいて、単位期間ごとにおける被測定者の睡眠状態を判別する第１のステップと、
複数の前記単位期間によって構成される一定期間ごとに、前記第１のステップによる前記単位期間ごとの判別結果を用いて、睡眠の深さのレベルを判別する第２のステップとを備え、
前記睡眠の深さのレベルは、睡眠状態を表わすレベルと覚醒状態を表わすレベルとを含み、
前記第２のステップによる判別結果を表示装置に表示させるステップと、
前記単位期間および前記一定期間よりも長い特定の期間において、前記第２のステップによる判別結果において前記覚醒状態を表わすレベルが生じたことについての情報を前記表示装置に表示させるステップとをさらに備える、睡眠評価方法。
【発明の詳細な説明】
【技術分野】
【０００１】
この発明は睡眠評価装置および睡眠評価方法に関する。
【背景技術】
【０００２】
従来から、睡眠を計測する装置に関し、種々の技術が開示されている。
たとえば、特許文献１（特開２００７−３１９２３８号公報）には、睡眠の深さの時間変化を計測し、当該計測結果をグラフ表示する技術が開示されている。また、特許文献２（特開２００９−２２６７１号公報）では、１２時間分の血圧等の生体情報の計測結果をレーダーチャートの形式で表示する技術が開示されている。
【０００３】
上記特許文献１および特許文献２に開示されるように、単に計測結果が連続的に表示された場合でも、専門家であれば、その専門的な知識に基づいて、当該連続的な計測結果の傾向を把握し、また、別の日の計測結果と比較等することにより、当該計測結果を有効に利用することができる。
【先行技術文献】
【特許文献】
【０００４】
【特許文献１】特開２００７−３１９２３８号公報
【特許文献２】特開２００９−０２２６７１号公報
【発明の概要】
【発明が解決しようとする課題】
【０００５】
しかしながら、専門的な知識を持たない者には、上記したような特許文献１または特許文献２に開示されたような連続的な計測結果を、傾向などを把握して有効利用することは困難である。
【０００６】
本発明は、かかる実情に鑑み考え出されたものであり、その目的は、睡眠評価装置において、計測結果を容易に理解される態様で表示することである。
【課題を解決するための手段】
【０００７】
本発明に従った睡眠評価装置は、寝床上の被測定者の身体の動きを検出するための体動検出手段と、体動検出手段の検出結果に基づいて、第１の期間における被測定者の睡眠状態を判別するための第１の判別手段と、第１の判別手段による判別結果に基づいて、第１の期間より長い第２の期間ごとに睡眠状態であるか覚醒状態であるかを判別するための第２の判別手段と、第２の判別手段による判別結果を表示装置に表示させるための表示手段とを備え、表示手段は、第２の判別手段による判別結果に基づいて、睡眠状態における途中覚醒の発生に関する情報を表示装置にさらに表示させる。
【０００８】
好ましくは、途中覚醒の発生に関する情報は、少なくとも睡眠状態における途中覚醒の発生の時間または回数である。
【０００９】
好ましくは、表示手段は、表示装置において円状に配列された複数の表示部を表示させ、第２の判別手段による判別結果を、各表示部を一定の期間に対応させながら、複数の表示部を用いて表示させる。
【００１０】
好ましくは、表示手段は、睡眠状態と覚醒状態のうち、いずれか一方の状態に判別された期間に対応する表示部と、他方の状態に判別された期間に対応する表示部とを、互いに異なる表示態様で表示させる。
【００１１】
好ましくは、表示手段は、睡眠状態と覚醒状態のうち、いずれか一方の状態に判別された期間に対応する表示部を点灯表示させ、他方の状態に判別された期間に対応する表示部を点滅表示させる。
【００１２】
好ましくは、第１の判別手段は、第１および第２の期間より長い特定の期間について、第１の期間ごとに被測定者の睡眠状態を判別し、表示手段は、特定の期間における、第２の判別手段による判別結果での睡眠状態または覚醒状態のいずれかの累積時間を、表示装置にさらに表示させる。
【００１３】
好ましくは、第２の判別手段は、第１の判別手段による判別結果に基づいて被測定者の起床状態をさらに判別し、表示手段は、第２の判別手段が被測定者の起床状態を判別したことに応じて、表示装置に睡眠状態における途中覚醒の発生に関する情報を表示させる。
【００１４】
好ましくは、特定の期間の終了を指定する情報の入力を受け付ける入力手段をさらに備え、表示手段は、入力手段に対する入力がなされたことに応じて、表示装置に睡眠状態における途中覚醒の発生に関する情報を表示させる。
【００１５】
好ましくは、被測定者のいびきの発生を検出する検出手段をさらに備え、表示手段は、表示装置において、さらに、検出手段が被測定者のいびきを検出した場合には、いびきの発生が検出されたことを示す情報を表示させる。
【００１６】
好ましくは、表示手段は、表示装置に、さらに、第１の判別手段による判別結果を表示させる。
【００１７】
本発明に従った睡眠評価方法は、寝床上の被測定者の身体の動きを検出するための体動検出手段を備えた睡眠評価装置において実行される睡眠評価方法であって、体動検出手段の検出結果に基づいて、第１の期間における被測定者の睡眠状態を判別するステップと、第１の期間における判別の結果に基づいて、第１の期間より長い第２の期間ごとに睡眠状態であるか覚醒状態であるかを判別するステップと、第２の期間における判別の結果を表示装置に表示させるステップと、第２の期間における判別の結果に基づいて、睡眠状態における途中覚醒の発生に関する情報を表示装置に表示させるステップとを備える。
【発明の効果】
【００１８】
本発明によれば、睡眠状態および覚醒状態の別が表示され、さらに、睡眠状態における睡眠の種類の判別結果に基づいた、途中覚醒の発生に関する情報が表示される。
【００１９】
つまり、睡眠状態と覚醒状態の別が表示されることにより、被測定者が睡眠を取ろうとした期間において被測定者が睡眠状態であったか覚醒状態であったかの全体的な状態を認識することができる。
【００２０】
また、途中覚醒の発生に関する情報が表示されることにより、専門的な知識を有しない者が表示を見た場合でも、睡眠の傾向について認識することができる。
【００２１】
さらに、睡眠状態と覚醒状態の別が、一定時間ごとに表示されることにより、より小さな表示領域で、睡眠状態および覚醒状態の別と、途中覚醒の発生に関する情報とを表示することができる。
【図面の簡単な説明】
【００２２】
【図１】本実施の形態にかかる睡眠評価装置としての睡眠レベル評価装置（以下、評価装置と略する）の外観の具体例を示す図である。
【図２】評価装置の側面を表わした概略図である。
【図３】評価装置の斜め上方から見た外観の概略図である。
【図４】評価装置のハードウェア構成の具体例を示すブロック図である。
【図５】評価装置の使用例を説明する図である。
【図６】評価装置における睡眠のレベルの判別のための機能構成の具体例を示すブロック図である。
【図７】ドップラーセンサである体動センサからのセンサ信号の具体例を示す図である。
【図８】（Ａ）は、図７に表わされた波形から分離された呼吸波形の具体例を示す図であり、（Ｂ）は、図７に表わされた波形から分離された体動波形の具体例を示す図である。
【図９】（Ａ）は、図６の判別部での判別結果の具体例を示す図であり、（Ｂ）は、（Ａ）の判別結果の補正の具体例を示す図である。
【図１０】評価装置におけるいびきの発生を検出するための機能構成の具体例を示すブロック図である。
【図１１】評価装置の表示部の表示態様の一例を示す図である。
【図１２】評価装置の表示部の表示態様の一例を示す図である。
【図１３】睡眠のレベルに対応した、象徴的なセンサ信号の示す波形の具体例を示す図である。
【図１４】睡眠のレベルに対応した、象徴的なセンサ信号の示す波形の具体例を示す図である。
【図１５】睡眠のレベルに対応した、象徴的なセンサ信号の示す波形の具体例を示す図である。
【図１６】睡眠のレベルに対応した、象徴的なセンサ信号の示す波形の具体例を示す図である。
【図１７】睡眠のレベルに対応した、象徴的なセンサ信号の示す波形の具体例を示す図である。
【図１８】睡眠のレベルに対応した、象徴的なセンサ信号の示す波形の具体例を示す図である。
【図１９】睡眠のレベルに対応した、象徴的なセンサ信号の示す波形の具体例を示す図である。
【図２０】通常のいびき音の解析結果を表わす図である。
【図２１】評価装置における、被測定者の睡眠状態を判別するための処理（睡眠判別処理）のフローチャートである。
【図２２】評価装置の表示部の表示態様の一例を示す図である。
【図２３】評価装置の表示部の表示態様の一例を示す図である。
【図２４】評価装置の表示部の表示態様の一例を示す図である。
【図２５】評価装置の表示部の表示態様の一例を示す図である。
【図２６】評価装置の表示部の表示態様の一例を示す図である。
【図２７】評価装置の表示部の表示態様の一例を示す図である。
【図２８】評価装置の表示部の表示態様の一例を示す図である。
【発明を実施するための形態】
【００２３】
以下に、図面を参照しつつ、本発明の実施の形態について説明する。以下の説明では、同一の部品および構成要素には同一の符号を付してある。それらの名称および機能も同じである。
【００２４】
＜外観＞
図１は、本実施の形態にかかる睡眠レベル評価装置（以下、評価装置と略する）１００の外観の具体例を示す図である。また、図２は評価装置１００の側面を表わした概略図であり、図３は、斜め上方から見た外観の概略図である。
【００２５】
図１〜図３を参照して、評価装置１００は、一例として、台座に対して直方体またはその角が丸みを帯びて処理された縦長の形状の筐体が立てられた外観を有する。
【００２６】
図１を参照して、台座表面には操作用のボタン群１０が配備され、台座に立てられた筐体の表面には表示部２０とが配備される。また、その筐体内部には、センサ３０と、制御部４０とが内包される。
【００２７】
以降の説明において、筐体の表示部２０が設けられた面を評価装置１００の正面とも称する。
【００２８】
評価装置１００は無線または有線での通信を行なうための通信部５０を有する。通信部５０は、一例として、筐体の、台座と逆側の端部よりに設けられる。そして、通信部５０を用いて、パーソナルコンピュータ（以下、ＰＣ）や携帯電話機などの表示装置２００に接続されて、表示装置２００に対して表示データを出力する。
【００２９】
＜ハードウェア構成＞
図４は、評価装置１００のハードウェア構成の具体例を示すブロック図である。
【００３０】
図４を参照して、ボタン群１０、センサ３０、表示部２０、および通信部５０は、いずれも、制御部４０に接続される。
【００３１】
ボタン群１０は被測定者に操作されることによる操作信号を制御部４０に対して出力する。
【００３２】
センサ３０は体動センサ３１および音声センサの一例であるマイクロフォン（以下、「マイク」と略す）３２を含み、それぞれがセンサ信号を制御部４０に対して出力する。体動センサ３１としては、好適にはドップラーセンサが用いられる。以降の説明では、体動センサ３１がドップラーセンサであるものとする。他には、超音波センサや赤外線センサが用いられてもよい。
【００３３】
ドップラーセンサである体動センサ３１は、測定用の電波を出力するための出力部と、受信部とを有する。受信部は、出力部から出力した電波のうち被測定体表面から反射した電波を受信し、出力した電波からの周波数の変化に応じたセンサ信号を出力する。
【００３４】
なお、体動を検出する機構として体動センサ３１に替えてカメラを備えて、制御部４０において画像解析を行なうことで体動を検出してもよい。
【００３５】
制御部４０は、全体制御を行なうためのＣＰＵ４１と、ＣＰＵ４１で実行されるプログラムなどを記憶するためのメモリ４２とを含む。
【００３６】
制御部４０は、ＣＰＵ４１がメモリ４２に記憶されている表示用のプログラムを実行し、入力された操作信号およびセンサ信号を用いて演算を実行することで、後述する睡眠のレベルを算出し、睡眠のレベルを表示するための表示データを生成する。また、制御部４０は、後述する睡眠潜時時間の算出等の種々の処理を実行する。
【００３７】
制御部４０は、表示データに基づく画面表示を表示部２０に行なうための表示制御を実行する。さらに、表示データを通信部５０から表示装置２００に対して送信するための通信制御を実行する。
【００３８】
通信部５０は、たとえば赤外線通信やＢｌｕｅｔｏｏｔｈ（登録商標）を利用した通信などの無線通信で、直接、表示装置２００と通信するものであってもよいし、インターネット接続機能を有して、インターネットを介して表示装置２００と通信するものであってもよい。
【００３９】
さらに、通信部５０は無線ＬＡＮ（Local  Area  Network）のサーバ機能を有して、無線ＬＡＮ接続でアクセスした表示装置２００に対して、たとえばＨＴＭＬ（Hyper  Text  Markup  Language）などのマークアップ言語で表現された後述の表示データを送信するようにしてもよい。
【００４０】
また、評価装置１００には、タイマ６０が備えられている。タイマ６０は、制御部４０に接続されている。ＣＰＵ４１は、タイマ６０から時刻情報を取得して、後述する入床時刻等の各時刻を特定し、メモリ４２に記憶する。
【００４１】
＜使用例＞
図５は、評価装置１００の使用例を説明する図である。
【００４２】
図５を参照して、評価装置１００は、一例として就寝中の被測定者の近傍（たとえば枕元）に設置される。その状態で測定動作が行なわれることで、ドップラーセンサである体動センサ３１から電波が出力される。
【００４３】
体動センサ３１から出力された電波は就寝中の被測定者の主に胸元、肩、などの辺りに到達し、そこからの反射波の周波数の変化がセンサ信号として制御部４０に出力される。制御部４０は、この周波数の変化に基づいて、就寝中の被測定者の胸の動きや寝返りなどの体動を検出し、その検出結果に基づいて睡眠のレベルを判別する。
【００４４】
また、被測定者の近傍に配備されることで、音声センサであるマイク３２によって被測定者近傍の音声が検出される。音声信号はセンサ信号として制御部４０に出力される。このセンサ信号を以降の説明では音信号とも称する。
【００４５】
制御部４０は、呼吸・体動信号で表わされた周波数の変化に基づいて就寝中の被測定者の胸の動きや寝返りなどの体動を検出し、その検出結果に基づいて睡眠状態を判別する。また、制御部４０は、音信号から被測定者の「いびき」を検出し、その検出結果に基づいていびきの状態を判別する。
【００４６】
＜睡眠状態か覚醒状態かの判別（睡眠のレベル判別）のための機能構成＞
図６は、評価装置１００において、睡眠状態であるか覚醒状態であるかの判別の一例である、睡眠のレベルの判別のための機能構成の具体例を示すブロック図である。図６に表わされる各機能は、主に、ＣＰＵ４１がメモリ４２に記憶されるプログラムを実行することによってＣＰＵ４１上に形成されるものであるが、少なくとも一部が電気回路などのハードウェア構成によって形成されてもよい。
【００４７】
図６を参照して、評価装置１００は、センサ３０からのセンサ信号の入力を受付けるための入力部４０１と、そのセンサ信号に基づいて単位期間の睡眠状態を判別するための第１判別部４０２と、単位期間ごとの判別結果に基づいて、当該単位期間が所定数連続してなる一定期間の睡眠状態のレベルを判別するための第２判別部４０９と、睡眠状態のレベルに基づいて当該一定期間の表示態様を決定するための決定部４０３と、決定された表示態様に基づいて睡眠のレベルを表示する表示データを生成するための生成部４０４と、表示データをメモリ４２に格納する処理を実行するための格納部４０５と、メモリ４２から表示データを読み出すための読出部４０６と、読み出された表示データを表示部２０に表示させる処理を実行するための表示制御部４０７と、通信部５０で表示装置２００に対して送信する処理を実行するための通信制御部４０８とを含む。
【００４８】
また、評価装置１００は、ボタン群１０に含まれる各種ボタンからの入力情報を処理するための入力情報処理部４１０を含む。
【００４９】
図６の例では、入力部４０１が、センサ３０からのセンサ信号を直接受け取るものとしているが、センサ信号はメモリ４２の所定領域に一時的に記憶され、入力部４０１は表示のための動作を行なう際にそこから読み出すようにしてもよい。
【００５０】
＜睡眠のレベルの判別方法＞
ここで、第２判別部４０９での睡眠のレベルの判別方法について説明する。
【００５１】
図７は、ドップラーセンサである体動センサ３１からのセンサ信号の具体例を示す図である。図７は、体動センサ３１からの反射波と被測定者の表面からの反射波との位相の変化量に関係する電圧値の時間変化を表わしている。
【００５２】
図７を参照して、センサ信号で表わされる波形は、被測定者の呼吸に伴う体動（胸の動き）を表わす波形（以下、呼吸波形とも称する）と、寝返りなどの呼吸以外の体動を表わす波形（以下、体動波形とも称する）とを含む合成波である。
【００５３】
図８（Ａ）および図８（Ｂ）は、図７に表わされた波形から分離された呼吸波形および体動波形の具体例を示す図である。
【００５４】
安定した睡眠状態であるときのヒトの呼吸波形は周期性を有する。従って、呼吸波形の周期性が所定範囲内である場合、すなわち、その周期のばらつきが所定範囲内であるときには、概ね、安定した睡眠状態であると言える。
【００５５】
また、安定した睡眠状態であるとき、寝返りなどの呼吸以外の体動は生じ難い。従って、体動波形の振幅が所定範囲内であるときには概ね安定した睡眠状態であると言え、所定範囲以上となった場合には体動が生じているために安定した睡眠状態ではないと言える。
【００５６】
従って、ある期間については、その期間における呼吸波形の周期性や呼吸以外の体動の大きさに基づいて被測定者が安定した睡眠状態にあるか否かを判別することができる。なお、この例では、呼吸波形と体動波形との両波形を用いて判別するものとしているが、少なくとも一方の波形のみを用いてもよい。
【００５７】
図６に示されるように、第１判別部４０２は、判別部４０２１と補正部４０２２とを含む。
【００５８】
判別部４０２１は、図７に示された入力されたセンサ信号に基づく波形を、図８（Ａ）および図８（Ｂ）に示される呼吸波形と体動波形とに分離する。そして、それぞれの波形に基づいて、予め規定された単位期間（図７の期間ｔ１，ｔ２，ｔ３，ｔ４，ｔ５）ごとに、被測定者が安定した睡眠状態にあるか否かを判別する。ここでの単位期間は、たとえば３０秒や１分程度が挙げられる。すなわち、呼吸波形の単位期間ｔ１における周期のばらつきが予め設定されているしきい値よりも小さい場合には、単位期間ｔ１における呼吸波形に周期性が見られると判断する。また、体動波形の単位期間ｔ１における振幅が予め設定されているしきい値よりも大きいか小さいかを判断する。
【００５９】
そして、判別部４０２１は、単位期間ｔ１における呼吸波形に周期性があり、かつ体動波形の振幅がしきい値よりも小さい場合に、単位期間ｔ１の当該被測定者の睡眠状態を睡眠状態（Ｓ）であると判別する。一方、判別部４０２１は、単位期間ｔ１における呼吸波形に周期性がなく、かつ体動波形の振幅がしきい値よりも大きい場合に、単位期間ｔ１の当該被測定者の睡眠状態を覚醒状態（Ｗ）であると判別する。なお、いずれか一方の条件のみが満たされている場合、つまり、単位期間ｔ１における呼吸波形に周期性があるか、または、体動波形の振幅がしきい値よりも小さい場合に、覚醒状態と判別するようにしてもよい。
【００６０】
また、判別部４０２１は、体動センサ３１から出力された電波が届く範囲における被測定者の有無を判別しても良い。
【００６１】
このような判別は、たとえば、センサ信号に基づく波形を上記したように呼吸波形と体動波形に分離した後、呼吸波形または体動波形のいずれかにおいて、当該波形の振幅が特定の値よりも小さい状態が特定の時間（たとえば、３０秒間）継続した場合に、判別部４０２１は、上記範囲に被測定者が存在しないと判断する。そして、それ以外の場合には、上記範囲に被測定者が存在していると判断する。なお、判別部４０２１は、被測定者の有無の状態を、被測定者が存在すると判断した場合には状態（Ｅ）と判別し、被測定者が存在しないと判断した場合には状態（Ｎ）と判別する。
【００６２】
図９（Ａ）は、判別部４０２１での判別結果の具体例を示す図である。図９（Ａ）に示されるように、判別部４０２１は、入力されたセンサ信号に基づく波形の単位期間ごとに、安定した睡眠状態であるか覚醒状態であるかを判別する。
【００６３】
しかしながら、睡眠状態において体動が生じたり、覚醒状態において体動がなく呼吸が安定していたりする単位期間が生じる場合もある。また、被測定者以外の移動物からの反射波を受信して、その結果、体動波形にノイズが生じる場合もある。そこで、好ましくは、補正部４０２２は、隣接する単位期間の判別結果に応じて、当該単位期間の判別結果を補正する。
【００６４】
一例として、図９（Ｂ）に、図９（Ａ）に示された判別結果の補正の具体例を示す。図９（Ａ）および図９（Ｂ）を参照して、補正部４０２２は、同一の判別結果である単位期間の連続数が所定数以下であり、かつ、当該判別結果と反対の判別結果である単位期間がこの連続した単位期間の前後に所定数以上連続している場合、その連続した単位期間の判別結果を、反対の判別結果となるように補正する。
【００６５】
具体的には、判別部４０２１は図９（Ａ）の単位期間ｔ７について覚醒状態（Ｗ）と判別しているが、覚醒状態（Ｗ）と判別された単位期間は単位期間ｔ７に対して連続しておらず（すなわち、連続数が１であり）、かつ、単位期間ｔ７の前後において睡眠状態（Ｓ）と判別された単位期間がある程度連続している。判別結果が逆の同様の状態は単位期間ｔ１３についても見られる。
【００６６】
仮に、対象とする単位期間の判別結果の連続数のしきい値（第１のしきい値）を２、その前後の単位期間の判別結果の連続数のしきい値（第２のしきい値）を２とすると、単位期間ｔ７については、覚醒状態（Ｗ）と判別された単位期間の連続数１が上記第１のしきい値よりも小さく、かつ、単位期間ｔ７の前後の判別結果の逆の単位期間の連続数３が上記第２のしきい値よりも大きい、という条件を満たしている。従って、補正部４０２２は、単位期間ｔ７の判別結果を、反対の判別結果である睡眠状態（Ｓ）となるように補正する。
【００６７】
同様にして、補正部４０２２は、単位期間ｔ１３の判別結果も、反対の判別結果である覚醒状態（Ｗ）となるように補正する。
【００６８】
次に、第２判別部４０９は、上記単位期間が連続してなる一定期間について、各単位期間の判別結果に基づいて、睡眠のレベルを判別する。ここでの一定期間は、たとえば５分や１０分程度が挙げられる。
【００６９】
ここで、睡眠のレベルとは、呼吸の安定具合と、体動の有無、連続性とから定義される睡眠の深さのレベルを指す。具体例として、
レベル１：体動がなく、呼吸が安定している睡眠状態、
レベル２：単発的な体動がある睡眠状態、
レベル３：連続的な体動がある睡眠状態、
レベル４：連続的な体動が続く覚醒状態、
レベル５：完全な覚醒状態、
などが挙げられる。
【００７０】
第２判別部４０９は、各レベルの判別値として、一定期間を構成する各単位期間の判別結果の連続数や、比率を記憶しておく。一例として、図１３は上記レベル１の象徴的なセンサ信号の示す波形の具体例、図１４は上記レベル２の象徴的なセンサ信号の示す波形の具体例、図１５および図１６は上記レベル３の象徴的なセンサ信号の示す波形の具体例、図１７は上記レベル４の象徴的なセンサ信号の示す波形の具体例、図１８は上記レベル５の象徴的なセンサ信号の示す波形であって特に入床時のセンサ信号の示す波形、および図１９は上記レベル５の象徴的なセンサ信号の示す波形であって特に離床時のセンサ信号の示す波形を表わす図である。第２判別部４０９は、これらセンサ信号の示す波形に表わされた判別結果の連続数や、比率を、各レベルの判別値として予め記憶しておく。そして、図９（Ｃ）は、各一定期間ごとの睡眠のレベルの判別結果の具体例を表わす図である。すなわち、図９（Ｂ）および図９（Ｃ）を参照して、第２判別部４０９は、上記一定期間を構成する単位期間の連続について、判別結果の連続数と記憶している判別値とを比較すること、および、判別結果の比率と判別値とを比較すること、によって、当該一定期間の睡眠のレベルを判別する。
【００７１】
＜いびき検出のための機能構成＞
図１０は、評価装置１００においていびきの発生を検出するための機能構成の具体例を示すブロック図である。図１０に表わされる各機能は、主に、ＣＰＵ４１がメモリ４２に記憶されるプログラムを実行することによってＣＰＵ４１上に形成されるものであるが、少なくとも一部が電気回路などのハードウェア構成によって形成されてもよい。
【００７２】
図１０を参照して、評価装置１００は、その時点の被測定者に対して上記のように判別された睡眠のレベル（レベル１〜レベル５）を取得する覚醒情報取得部４１１と、マイク３２からの音声信号の入力を受け付ける音声入力部４１４と、音声入力部４１４に入力された音声信号に対して周波数を測定することにより上記したいびきの構成要素とされる周波数帯での所定量以上の音圧が検出されたことを判別する音声判別部４１５と、音声判別部４１５の判別結果と覚醒情報取得部４１１が取得した情報とに基づいていびきが発生したか否かを決定する決定部４１８と、決定部４１８の決定した結果を表示させるために表示部２０および／または通信部５０に送信するための出力処理部４１９とを含む。決定部４１８の決定した結果は、通信部５０を介して、外部の装置に送信されることにより、他の装置において表示され得る。
【００７３】
図２０は、通常のいびき音の解析結果を表わす図である。図２０を参照して、通常のいびき音は、概ね１０００Ｈｚ以下の音で構成される。決定部４１８は、たとえば、覚醒情報取得部４１１の取得したレベルがレベル１〜レベル３である期間中に音声判別部４１５において１０００Ｈｚ以下の音声が所定量以上の音圧で検出されたことに基づいて、いびきが発生したと決定する。
【００７４】
＜結果表示の例＞
評価装置１００では、ＣＰＵ４１は、所定期間、睡眠のレベルの判別を行なう。そして、ＣＰＵ４１は、当該所定期間のうち睡眠のレベルが初めてレベル１〜レベル３のいずれかと判別したときから睡眠状態（睡眠のレベル１〜レベル３）と判別された期間の累積時間（睡眠状態時間）と、当該期間においていびきが発生した場合にはその旨とを、表示部２０に表示する。ここで、所定期間とは、予めメモリ４２に記憶された期間（後述する測定開始時刻から測定終了時刻までの期間）であっても良いし、被測定者によるボタン１０に対する操作等によって定められる期間であっても良い。
【００７５】
図１１は、表示部２０の表示態様の一例を示す図である。
図１１を参照して、表示部２０は、現在時刻を表示する表示欄２１１と、睡眠状態時間を表示する表示欄２１４と、いびきが発生したことを示す画像を表示する表示欄２１８とを含む。
【００７６】
なお、本明細書では、上記所定期間のうち、睡眠のレベルが初めてレベル１〜レベル３のいずれかと判別された時点から起床状態（後述）と判別されるまでの期間を睡眠時間という。睡眠時間には、睡眠状態にある時間と覚醒状態にある時間とを含む。上記した睡眠状態時間は、睡眠時間のうち睡眠状態にある時間の累積時間である。これに対し、睡眠時間のうち覚醒状態にある時間の累積時間を、覚醒状態時間という。そして、表示部２０には、睡眠時間における睡眠状態と覚醒状態とを区別して表示するための表示欄２１３と、睡眠時間中に覚醒状態が生じたことを示す画像を表示する表示欄２１６と、睡眠時間中の覚醒状態が生じた時間（覚醒状態時間）を示す表示欄２１７を含む。
【００７７】
本明細書では、睡眠時間中に覚醒状態が生じたことを、適宜「途中覚醒」という。
＜測定中表示の例＞
評価装置１００では、ＣＰＵ４１は、上記所定期間中、表示部２０に、睡眠のレベルを判別するための体動センサ３１の検出出力を取得している旨を表示する。
【００７８】
図１２は、このような表示態様の一例を示す図である。
図１２を参照して、ＣＰＵ４１は、体動センサ３１の検出出力に基づいて、上記したように一定期間ごとに睡眠状態のレベルを判別する。図１２に示された表示例は、ＣＰＵ４１が、体動センサ３１の検出出力を取得した直後に、当該検出出力について一定期間ごとに睡眠状態のレベルを判別する。そして、表示部２０は、当該睡眠状態のレベルの判別結果を表示する表示欄２１２を含む。表示欄２１２では、複数のバーが表示可能である。ＣＰＵ４１は、一定期間ごとに睡眠状態のレベルを判別し、判別したレベルに応じた数のバーを、表示欄２１２に表示させる。
【００７９】
ただし、ＣＰＵ４１は、体動センサ３１の検出出力を取得した後、ボタン群１０に対する操作がなされたことに応じて上記一定期間ごとの睡眠状態のレベルの判別を行なう等、上記した睡眠状態のレベルの判別は検出出力が取得された直後に行なわれなくても良い。このような場合には、睡眠時間中の表示部２０における表示欄２１２の表示は省略されても良い。
【００８０】
＜動作の概要＞
図２１は、評価装置１００における、被測定者の睡眠状態を判別するための処理（睡眠判別処理）のフローチャートである。当該処理は、たとえば、評価装置１００における電源投入時に開始される。なお、当該処理における動作は、ＣＰＵ４１がメモリ４２に記憶される表示用のプログラムを読み出して実行し、図６に示された各機能を発揮することによって実現される。
【００８１】
睡眠判別処理では、ＣＰＵ４１において、計測フラグのＯＮ／ＯＦＦが設定される。評価装置１００の初期状態では、計測フラグの状態は、ＯＦＦに設定される。当該フラグの機能については、後述する。
【００８２】
図２１を参照して、評価装置１００に電源が投入されると、ＣＰＵ４１は、ステップＳ１０で、評価装置１００の初期化を行ない、ステップＳ２０へ処理を進める。
【００８３】
ステップＳ２０では、ＣＰＵ４１は、体動センサ３１を用いたセンサ信号の取得を開始して、ステップＳ３０へ処理を進める。
【００８４】
ステップＳ３０では、ＣＰＵ４１は、計測フラグの状態がＯＮであるか否かを判断し、ＯＮであると判断するとステップＳ４０へ処理を進める。一方、ＯＦＦであれば、ＯＮにされるまでステップＳ３０で待機する。なお、ＣＰＵ４１は、ボタン１０（ボタン１０に含まれる特定のボタン）を操作されることにより、または、予めメモリ４２に記憶された測定開始時刻が到来したことを条件として、計測フラグの状態をＯＮに変更する。
【００８５】
ステップＳ４０では、ＣＰＵ４１は、計測対象が体動センサ３１の検出範囲内に存在するか否か、つまり、体動センサ３１から出力された電波が届く範囲に被測定者が居るか否かを判別する。この判別は、たとえば、上記したように、体動センサ３１から出力される信号の波形を呼吸波形と体動波形に分離した後、呼吸波形または体動波形のいずれかにおいて、当該波形の振幅が特定の値よりも小さい状態が特定の時間（たとえば、３０秒間）継続したか否かに基づいて実現される。そして、被測定者が存在すると判断した場合、つまり、状態（Ｅ）と判別した場合には、ＣＰＵ４１は、ステップＳ５０へ処理を進める。なお、被測定者が存在しないと判断した場合、つまり、状態（Ｎ）と判別した場合には、ステップＳ５０の処理を行なうことなく、ステップＳ６０へ処理を進める。
【００８６】
ステップＳ５０では、ＣＰＵ４１は、睡眠のレベルおよびいびきの発生の有無を判別して、ステップＳ６０へ処理を進める。なお、ステップＳ５０では、ＣＰＵ４１は、たとえば、ステップＳ４０で得られた呼吸波形と体動波形とのそれぞれについて、予め設定された単位期間ごとの呼吸波形の周期性および／または体動波形における振幅の大きさに基づいて、単位期間ごとに、その期間における睡眠状態を判別する。さらに、当該判別結果を、隣接する単位期間の判別結果に応じて補正する。さらに、上記単位期間が連続してなる一定期間について、各単位期間の判別結果に基づいて、睡眠のレベルを判別する。そして、得られた睡眠のレベルを、当該睡眠のレベルが対応する時刻情報とともに、メモリ４２に記憶する。
【００８７】
ステップＳ６０では、ＣＰＵ４１は、計測フラグの状態がＯＦＦであるか否かを判断し、ＯＦＦであると判断するとステップＳ７０へ処理を進める。一方、ＯＮであると判断すると、ステップＳ４０へ処理を戻す。
【００８８】
なお、ＣＰＵ４１は、ボタン（ボタン群１０に含まれる特定のボタン）が、計測フラグの状態がＯＮにあるときに操作されることによって、計測フラグの状態をＯＦＦにする。また、ＣＰＵ４１は、体動センサ３１の検出出力に基づいて、計測フラグの状態をＯＦＦにしても良い。たとえば、ステップＳ４０において状態（Ｎ）と判別した状態が予め定められた時間継続した場合に、ＣＰＵ４１は、計測フラグの状態をＯＦＦにしても良い。ＣＰＵ４１が、計測フラグの状態がＯＦＦにされた判断することは、被測定者が起床状態であると判別したことに相当する。
【００８９】
ステップＳ７０では、ＣＰＵ４１は、ステップＳ３０で計測フラグの状態がＯＮと判断されてからステップＳ６０で計測フラグの状態がＯＦＦと判断されるまでの期間の、睡眠のレベルの判別結果等を表示部２０に表示させた後、ステップＳ４０へ処理を戻す。
【００９０】
以上説明した睡眠判別処理では、計測フラグの状態がＯＮにされている期間中、睡眠のレベルの判別が行なわれる。この期間が、上記した所定期間に相当する。
【００９１】
なお、以上説明した睡眠判別処理では、計測フラグの状態がＯＦＦに戻ったことと判断されたことに応じて（ステップＳ６０でＹＥＳ判断時）、表示部２０において計測結果が表示された。計測結果の表示は、必ずしもこのタイミングでなくても良く、計測フラグの状態がＯＦＦにされた後、さらに、ボタン１０が操作された等のタイミングで、行なわれても良い。
【００９２】
また、計測結果の表示は、表示部２０において行なわれても良いし、ＣＰＵ４１から必要なデータを取得した表示装置２００等の、他の装置において行なわれても良い。
【００９３】
＜睡眠判別処理における表示部の表示例＞
図２１を参照して説明した睡眠判別処理における、表示部２０における表示内容の変化の一例を説明する。
【００９４】
（図２２：計測開始時）
ステップＳ３０において計測フラグの状態がＯＮであると判断されると、表示部２０には、図２２に示されるように、表示欄２１１にその時点の時刻が表示される。なお、計測フラグの状態がＯＮであると判断された直後数秒間、ＣＰＵ４１は、睡眠のレベルの判別が開始されることを報知すべく、表示部２０の全面の輝度を上げても良い。
【００９５】
（図２３：計測期間中）
その後、ステップＳ４０に処理が進められると、表示部２０には、図２３に示されるように、表示欄２１１にその時点の時刻が表示され、さらに、表示欄２１２にその時点での睡眠状態のレベルの判別結果が表示される。
【００９６】
図２３に示されるような表示は、ステップＳ６０で計測フラグの状態がＯＦＦであると判断されるまで、継続される。表示欄２１２における表示は、睡眠状態のレベルの判別結果の変更に応じて、適宜更新される。
【００９７】
（図２４：計測終了時（１））
ステップＳ６０で、計測フラグの状態がＯＦＦであると判断すると、ＣＰＵ４１は、図２４に示されるように、表示部２０において、表示欄２１１にその時点の時刻を表示し、表示欄２１２にその時点での睡眠状態のレベルの判別結果を表示した状態で、表示部２０全体の表示の輝度を一時的に（たとえば、数秒間）向上させる。
【００９８】
（図２５，図２６：睡眠時間の表示）
その後、表示欄２１３に、上記睡眠時間を表す情報を表示させる。
【００９９】
表示欄２１３には、円状に配列された複数のバーを表示するための欄である。３６０度に配列された複数のバーは、１２時間に対応するように配列される。５本のバーが１時間に対応する。つまり、１本のバーは、１２分間に対応する。このことから、表示欄２１３には、最大で６２本のバーが表示され得る。
【０１００】
そして、表示欄２１３における睡眠時間を表す情報の表示は、たとえば、円状に（３６０度に）配列された複数のバーの中の、睡眠時間に対応する位置および数のバーが表示されることによって、実現される。本実施の形態では、このような複数のバーによって、円状に配列された複数の表示部が構成される。
【０１０１】
図２６は、この場合の表示部２０の表示例を示す。
図２６の表示欄２１３では、午後１２時１０分に対応するバーから、翌朝の午前７時１０分に対応するバーまでが、表示されている。
【０１０２】
なお、図２６に示された表示がなされる際には、図２５に示された表示を経て、つまり、表示されるバーが時計方向に順に表示されるようにしても良い。このように表示されることにより、被測定者等の、表示部２０において睡眠時間の表示を見る者に対して、睡眠時間の長さを強調して表示することができる。したがって、被測定者に、睡眠時間の長さの印象を強くし、自己の睡眠に対する満足度を向上させることができる。
【０１０３】
以上のように、本実施の形態では、睡眠時間が、複数のバーの表示／非表示によって表示され、そして、当該複数のバーは、円状に、時計を表すように配列されている。
【０１０４】
（図２７：睡眠状態時間等の表示）
上記した睡眠時間の表示が終了すると、ＣＰＵ４１は、表示部２０に、さらに、上記した睡眠状態時間、覚醒状態時間、および、睡眠時間中のいびきがあった場合にはその旨を表示させる。図２７は、このときの表示部２０における表示内容の一例を示す図である。
【０１０５】
図２７を参照して、表示欄２１４に睡眠状態時間が表示され、表示欄２１７に覚醒状態時間が表示され、表示欄２１８にいびきがあったことを示す画像が表示されている。なお、図２７は、午後１０時３０分に計測フラグの状態がＯＮになり、翌日の午前１２時１０分に初めて被測定者の睡眠のレベルが睡眠状態に相当するレベル（レベル１〜レベル３）と判別され、午前７時１０分に計測フラグの状態がＯＦＦになり、そして、午前１２時１０分から午前７時１０分までの間の覚醒状態時間が１時間２５分であった場合の、測定結果を表している。この場合、睡眠時間は７時間であるため、睡眠状態時間は、睡眠時間（７時間）から覚醒状態時間（１時間２５分）を差し引いた、５時間３５分となる。
【０１０６】
（図２８：覚醒状態時間の点滅表示）
ＣＰＵ４１は、表示部２０において、図２７に示すような睡眠状態時間等を表示した後、さらに、表示欄２１３に表示させた、睡眠時間に対応するバーのうち、覚醒状態時間に対応するバーを点滅表示させても良い。図２８に、図２７において表示されていた、睡眠時間に対応するバーのうち、覚醒状態時間に対応するバーが点滅によって一時的に表示されなくなる状態を示す。
【０１０７】
以上説明したように、本実施の形態では、表示欄２１３において、図２７に示されたような睡眠時間が表示された後、図２７と図２８の表示が交互に繰り返されることにより、睡眠時間における覚醒状態時間に対応するバーが点滅表示される。この点滅表示は、ボタン１０に対する操作等、外部からの操作によって停止されても良いし、または、一定時間継続した後、停止されても良い。
【０１０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０９】
１０  ボタン群、２０  表示部、３０  センサ、３１  体動センサ、３２  マイク、４０  制御部、４１  ＣＰＵ、４２  メモリ、５０  通信部、１００  評価装置、２００  表示装置、４０１  入力部、４０２  第１判別部、４０３  決定部、４０４  生成部、４０５  格納部、４０６  読出部、４０７  表示制御部、４０８  通信制御部、４０９  第２判別部、４１０  入力情報処理部、４１１  覚醒情報取得部、４１４  音声入力部、４１５  音声判別部、４０２１  判別部、４０２２  補正部。
【図１】
0005724479.tif 000002
【図２】
0005724479.tif 000003
【図３】
0005724479.tif 000004
【図４】
0005724479.tif 000005
【図５】
0005724479.tif 000006
【図６】
0005724479.tif 000007
【図９】
0005724479.tif 000008
【図１０】
0005724479.tif 000009
【図１１】
0005724479.tif 000010
【図１２】
0005724479.tif 000011
【図１３】
0005724479.tif 000012
【図１４】
0005724479.tif 000013
【図１５】
0005724479.tif 000014
【図１６】
0005724479.tif 000015
【図１７】
0005724479.tif 000016
【図１８】
0005724479.tif 000017
【図１９】
0005724479.tif 000018
【図２１】
0005724479.tif 000019
【図２２】
0005724479.tif 000020
【図２３】
0005724479.tif 000021
【図２４】
0005724479.tif 000022
【図２５】
0005724479.tif 000023
【図２６】
0005724479.tif 000024
【図２７】
0005724479.tif 000025
【図２８】
0005724479.tif 000026
【図７】
0005724479.tif 000027
【図８】
0005724479.tif 000028
【図２０】
0005724479.tif 000029